(57)【要約】【課題】ガス器具の複雑な操作方法が分からないために操作不能である幼児やお年寄りを宅内に残したまま外出してしまった場合、ガス器具が付けっぱなしであってもガス遮断装置がガス流量を遮断することは期待できない。【解決手段】無線中継器１５０が宅内に幼児３０１しかいないと判断した場合、無線中継器１５０は通信部１１６、遮断駆動部１１５を介して遮断弁１１４によってガス流量を遮断する要求データを送信する。一方で、無線中継器１５０が宅内に幼児３０１と共に大人４０１がいると判断した場合、無線中継器１５０がガス遮断装置１１０に対してガス流量の遮断を要求することはない。【選択図】図１
2007303715.tif 000002
【特許請求の範囲】
【請求項１】
ガス流路を通じてガス器具へ供給するガスの流量を遮断する遮断弁と、無線通信により通信可能な宅内に存在する人物に関連した人物属性情報を受信する人物情報受信部とを備え、前記人物情報受信部により受信した人物属性情報によって特定される人物が予め設定した人物に該当するとき、前記遮断弁を制御して前記ガス器具へのガス供給を遮断するガス遮断装置。
【請求項２】
ガス流路上におけるガスの流量値を周期的に計測する流量計測部と、管理の対象となるガス器具を特定するためのガス器具の判定情報を登録する器具登録部と、前記ガス器具の動作状況を前記流量計測部により計測された前記流量値とガス器具の前記判定情報とに基づき前記ガス器具を特定する機器特定部とを備え、
人物情報受信部により受信した人物属性情報によって特定される人物が予め設定した人物に該当するときであって、前記機器特定部により特定される前記ガス器具が予め設定された使用注意器具に該当する場合、前記遮断弁を制御して前記ガス流路上におけるガスの流量を遮断する請求項１記載のガス遮断装置。
【請求項３】
人物情報受信部により受信した人物属性情報によって特定される人物が予め設定した人物に該当するときであって、機器特定部により特定されるガス器具が予め設定された使用注意器具に該当する場合、前記機器特定部により特定されるガス器具の駆動から所定期間経過後に遮断弁を制御してガス流路上におけるガスの流量を遮断する請求項２記載のガス遮断装置。
【請求項４】
機器特定部により特定されるガス器具の駆動から所定期間経過後に遮断弁を制御してガス流路上におけるガスの流量を遮断する場合、前記所定期間は前記機器特定部により特定されるガス器具に応じて決定される請求項３記載のガス遮断装置。
【請求項５】
外部端末へデータ送信が可能なデータ送信部を備え、人物情報受信部により受信した人物属性情報によって特定される人物が予め設定した人物に該当するときであって、機器特定部により特定されるガス器具が予め設定された使用注意器具に該当する場合、前記データ送信部を介して前記外部端末へガスの流量を遮断する旨を報知する請求項４記載のガス遮断装置。
【発明の詳細な説明】
【技術分野】
【０００１】
本発明は、ガス使用上の安全を図るガス遮断装置に関するものである。
【背景技術】
【０００２】
従来この種のガス遮断装置は図７に示すように、流量検出部７０２により測定される流量は処理演算部７０３により積算値が求められ、その積算値が所定の適正使用条件を逸脱するとガス安全制御部７０４は異常と判断し、遮断弁７０５に対してガス流路を遮断するように制御する。また、ガス安全制御部７０４は伝送制御部７０６を介してガス安全情報（遮断に関する情報、ガス流量積算値など）やガス検針データを回線制御部７０７へ伝送する。回線制御部７０７は電話回線と接続しているので、外部と通信可能である（例えば、特許文献１参照）。
【特許文献１】特開平１−１３２９１４号公報
【発明の開示】
【発明が解決しようとする課題】
【０００３】
しかしながら、従来のガス遮断装置では、異常な流量値が検出されない限り、ガス流量が遮断されることはなかった。例えば、ガス器具の複雑な操作方法が分からないために操作不能である幼児やお年寄りを宅内に残したまま外出してしまった場合、ガス器具が付けっぱなしであってもガス遮断装置はガス流量を遮断することは期待できない。
【０００４】
また、上記事例とは逆に、外出時はスイッチを切っておいたガス器具であっても、幼児が訳も分からずにスイッチを押して駆動状態にしてしまうことも考えられるが、こうした場合であってもガス遮断装置はガス流量を遮断することは期待できない。
【課題を解決するための手段】
【０００５】
本発明のガス遮断装置は上記課題を解決するために、ガス流路を通じてガス器具へ供給するガスの流量を遮断する遮断弁と、無線通信により通信可能な宅内に存在する人物に関連した人物属性情報を受信可能とする人物情報受信部とを備え、人物情報受信部により受信した人物属性情報によって特定される人物が予め設定した人物に該当するとき、遮断弁を制御してガス器具へのガス供給を遮断するものである。
【０００６】
これによれば、宅内に幼児のみが残されて親などの大人が外出していないときに、その間に幼児が誤ってガス器具を操作することがあっても、ガス流路を遮断しているので安全である。
【発明の効果】
【０００７】
本発明のガス遮断装置は、人物情報受信部により受信した人物属性情報によって特定される人物が予め設定した人物に該当するとき、遮断弁を制御してガス流路上におけるガスの流量を遮断するので、ガス器具を使用中のまま外出してしまった場合でも、自動的にガス通路を遮断することでガス器具の安全性向上を図ることができる。
【発明を実施するための最良の形態】
【０００８】
第１の発明は、ガス遮断装置において、ガス流路を通じてガス器具へ供給するガスの流量を遮断する遮断弁と、無線通信により通信可能な宅内に存在する人物に関連した人物属性情報を受信可能とする人物情報受信部とを備え、人物情報受信部により受信した人物属性情報によって特定される人物が予め設定した人物に該当するとき、遮断弁を制御してガス器具へのガス供給を遮断するものである。
【０００９】
これによれば、宅内に幼児のみが残されて親などの大人が外出していないときに、その間に幼児が誤ってガス器具を操作することがあっても、ガス流路を遮断しているので安全である。
【００１０】
第２の発明は、特に第１の発明において、ガス流路上におけるガスの流量値を周期的に計測する流量計測部と、管理の対象となるガス器具を特定するためのガス器具の判定情報を登録する器具登録部と、ガス器具の動作状況を前記流量計測部により計測された流量値とガス器具の判定情報とに基づきガス器具を特定して使用注意器具であるか否かを判別する機器特定部とを備え、人物情報受信部により受信した人物属性情報によって特定される人物が予め設定した人物に該当するときであって、機器特定部により特定されるガス器具が予め設定された使用注意器具に該当する場合、遮断弁を制御してガス流路上におけるガスの流量を遮断するものである。
【００１１】
これによれば、宅内に幼児のみが残されて親などの大人が外出し、その間に幼児が誤って使用注意器具として予め登録されているガス器具（ガスコンロやファンヒーターなど）を操作することがあっても、ガス流路を遮断しているので安全である。その一方で、使用注意器具として予め登録されていないガス器具（床暖房機や給湯器など）は、仮に外出中に誤って操作されたとしても特にガス流路を遮断することもない。これは、仮に操作が行われても早急に危険な状況となることが考えにくいものであるからである。
【００１２】
第３の発明は、特に第２の発明において、人物情報受信部により受信した人物属性情報によって特定される人物が予め設定した人物に該当するときであって、機器特定部により特定されるガス器具が予め設定された使用注意器具に該当する場合、機器特定部により特定されるガス器具の駆動から所定期間経過後に遮断弁を制御してガス流路上におけるガスの流量を遮断するものである。
【００１３】
これによれば、例えば寒冷地において部屋の暖を採る必要がある場合などに、使用注意器具として予め登録されているファンヒーターのようなガス器具であっても、すぐにガス流路を遮断しないので、急速に部屋の雰囲気温度が低下することもない。
【００１４】
第４の発明は、特に第３の発明において、機器特定部により特定されるガス器具の駆動から所定期間経過後に遮断弁を制御してガス流路上におけるガスの流量を遮断する場合、その所定期間は機器特定部により特定されるガス器具に応じて決定されるものである。
【００１５】
これによれば、使用注意器具として予め登録されているファンヒーターのような器具では上記した理由から一定期間ガス流路を遮断しないことが望ましいと考えられるが、一方でガスコンロのような器具ではできるだけ早急にガス流路を遮断した方が、安全上も好ましい。このように同じ使用注意器具として登録されるガス器具ではあるが、影響度に応じてガス流路を遮断するタイミングをガス器具に応じて調整した方がよい場合ある。
【００１６】
第５の発明は、特に第４の発明において、外部端末へデータ送信が可能なデータ送信部を備え、人物情報受信部により受信した人物属性情報によって特定される人物が予め設定した人物に該当するときであって、機器特定部により特定されるガス器具が予め設定された使用注意器具に該当する場合、データ送信部を介して外部端末へガスの流量を遮断する旨を報知するようにしたものである。
【００１７】
これによれば、ガス流路を遮断する前に親などの大人が所有する形態電話等の端末に通知され、大人がガス流路を遮断すべきか否かを選択できるので、安全上好ましい上に、ガス供給がストップすることにより幼児が不便さを強いられることもない。
【００１８】
以下、本発明の実施の形態について、図面を参照しながら説明する。尚、この実施の形態によって本発明が限定されるものではない。
【００１９】
（実施の形態１）
図１は、本発明によるガス遮断装置とそれを含むガス遮断システムを示す図である。ガス遮断システム１００は、ガス遮断装置１１０と無線中継器１５０、小型無線チップ１６０とから構成される。
【００２０】
ガス遮断装置１１０は、各家庭のガス供給管１１１の入り口部分に設置され、家庭内のガス器具１７０（例えば、ガスコンロやファンヒーター、床暖房機、給湯器などであって、図１において１７０ａはファンヒーター、１７０ｂはガスコンロである）と単一のガス流路（外からのガス流路が一本）に接続されている。ガス遮断装置１１０の構成は図２に示すものであり、流量検出部１１２と処理演算部１１３と遮断弁１１４、遮断弁１１４を駆動する遮断駆動部１１５、通信部１１６とを含む。
【００２１】
ガス遮断装置１１０は、外部からガスを供給するガス供給管１１１に設けられ、その下流側には、各家庭内に設置されたガス器具１７０にガスを供給する配管が接続されている。
【００２２】
流量検出部１１２は、ガス遮断装置１１０内のガス供給管１１１に設けられ、ガス流量（瞬時流量）を検出する。本実施形態では、超音波方式の流量計（超音波流量計）より構成されていると想定するが、計測方式はそれ以外であってもよく、フルイディック方式などの短時間に一定サイクルで連続計測可能としてもよい。
【００２３】
処理演算部１１３は、流量検出部１１２からのガス流量検知信号に基づき、ガス流量を演算して求める。そして、演算して求められたガス流量が所定値を超えた場合は、遮断駆動部１１５によって遮断弁１１４を駆動させて、ガス供給管１１１を流れるガス流量を遮断する。
【００２４】
通信部１１６は処理演算部１１３によって演算された流量や、遮断弁１１４によってガス流量を遮断すること、あるいは今後遮断弁１１４によってガス流量を遮断することを通知するための情報などを無線中継器１５０へ送信する。また、通信部１１６は無線中継器１５０から送信される情報の受信も可能であり、後述するように遮断弁１１４の遮断要求を示す情報を受信することもできる。なお、図示はしていないが、ガス遮断装置１１０には必要に応じて感震器、ガスメータ装置全体の動力源となる電池等が更に内蔵される。
【００２５】
無線中継器１５０は、通信部１１６以外にも小型無線チップ１６０との送受信も可能であり、本実施形態では無線通信回線としてＰＨＳ回線や特定小電力無線などの利用を想定している。また、小型無線チップ１６０は、宅内を出入りする人物に装着されているその人物の認証に必要な人物属性情報（性別や年齢など個人を特定可能な情報）を記憶しているＩＣチップを想定している。
【００２６】
次に、無線中継器１５０の動作について説明する。無線中継器１５０は、宅内にいる人物の人物属性情報から人物の年齢を読み取る。そして、図３に示す状況のように無線中継器１５０が幼児３０１に装着された小型無線チップ１６０から年齢情報として「８歳」であることを読み取った場合、無線中継器１５０は宅内に幼児３０１しかいないと判断し、通信部１１６、遮断駆動部１１５を介して遮断弁１１４によってガス流量を遮断する要求データを送信する。なお、本実施形態では幼児３０１とは年齢が１０歳までの人物とするが、年齢の定義に関しては適宜設定可能とする。また、図示していないが、宅内に１０歳
以下の幼児が複数確認できた場合も、上記と同様に無線中継器１５０がガス遮断装置１１０に対してガス流量の遮断を要求するものとする。
【００２７】
次に、図４のように無線中継器１５０が宅内に幼児３０１と共に大人４０１（大人とは、例えば１０歳以上の人物とする）がいると判断した場合、無線中継器１５０はガス遮断装置１１０に対してガス流量の遮断を要求することはない。なぜなら、仮に幼児３０１が無意識にガス器具１７０ａや１７０ｂのスイッチを押して起動させたとしても、即時に大人４０１がその事態に気づきスイッチを切るなどの対処をすることができるからである。
【００２８】
以上のように、本実施の形態によれば、宅内に幼児のみしかいない場合は、速やかに無線中継器１５０がガス遮断装置１１０に対してガス流量の遮断の要求を行うため、宅内に幼児のみが残されて親などの大人が外出していないときに、その間に幼児が誤ってガス器具を操作することがあっても、ガス流路を遮断しているので安全である。
【００２９】
（実施の形態２）
実施の形態１では、宅内に幼児のみしかいない場合は、速やかに無線中継器がガス遮断装置に対してガス流量の遮断の要求を行うため、宅内に幼児のみが残されて親などの大人が外出していないときに、その間に幼児が誤ってガス器具を操作することがあっても、ガス流路を遮断して安全性を高めていた。
【００３０】
しかし、やみくもにガス流量を遮断して実質的にガス器具を停止させることで不便となることもある。例えば、外気温度が低温である寒冷地では、宅内に幼児しかいないからといって、即座にファンヒーターや床暖房を停止させてしまえば、宅内の温度は急激に低下し、かえって幼児の健康を損ないかねない。
【００３１】
そこで、本実施の形態では、ガス器具を特定して、そのガス器具が宅内にいる幼児にとって危険である場合はガス流量を遮断するが、そのガス器具が起動していたとしても、それほど幼児の安全性に影響が少ないもの、あるいはガス流量を遮断することでかえって不都合を生じるものに対してはガス流量を遮断しないようにするものである。
【００３２】
本実施の形態では、使用しているガス器具を特定するためにガス遮断装置を図５のように構成する。なお、図５において図２と同様の番号を付しているものに関しては説明を省略する。
【００３３】
ガス遮断装置５００には、さらに動作特定部５０１と記憶メモリ５０２、ガス器具登録部５０３とを備えている。動作特定部５０１は、処理演算部１１３からの流量値の差分に相当する判別信号に基づき、起動されたガス器具１７０ａ（または１７０ｂ）、停止したガス器具１７０ｂ（または１７０ａ）等、具体的な値をガス器具毎に判別し、ガス器具毎の動作状況情報瀬を生成する。
【００３４】
記憶メモリ５０２は、動作特定部５０１により生成されたガス器具１７０ａ（または１７０ｂ）ごとの動作状況に対応した動作状況情報（使用流量、運転時間等）を記憶するメモリである。
【００３５】
また、ガス器具登録部５０３は、家庭内に設置されたガス器具１７０ａ、１７０ｂの識別情報を登録する記憶装置、メモリより構成されている。
【００３６】
次に、使用しているガス器具を特定するガス遮断装置５００について詳細を述べる。ガス遮断装置５００は、使用されるガス器具１７０ａ（または１７０ｂ）へ流れるガス流量の変化量が器具毎の異なることを利用して特定するものである。
【００３７】
具体的には、まず流量検出部１１２では２秒間隔毎にガス流量値を計測し、その値を処理演算部１１３に送る。そして、動作特定部５０１は処理演算部１１３から得られる値から流量値の変化量を演算する。具体的には、所定期間（例えば２秒）毎に計測された複数の流量値の差分を演算している。
【００３８】
次に動作特定部５０１が、演算された流量差分値と、ガス器具登録部５０３に登録されたガス器具ごとの比較判定値（予め求められているガス器具固有の流量差分値）との比較を行う。ここで、流量差分値が比較判定値より大きいと判定した場合、動作特定部５０１はガス器具が起動した判定すれば、さらに流量差分値とガス器具登録部５０３に登録されたガス器具ごとの比較を行い、起動したガス器具を特定することができる。
【００３９】
次に、無線中継器１５０の動作について説明する。なお、無線中継器１５０が宅内に大人４０１が少なくとも１人以上いると判断した場合、実施の形態１で述べたように無線中継器１５０はガス遮断装置１１０に対してガス流量の遮断を要求しない。
【００４０】
ここで、実施の形態１で用いた図３のように、無線中継器１５０が宅内に幼児３０１しかいないと判断した場合、無線中継器１５０は通信部１１６を介して、現在使用されているガス器具１７０が特定されているかどうかを調べる。
【００４１】
もし、ガス器具１７０ａ、１７０ｂが使用されていなければ、無線中継器１５０がガス遮断装置１１０に対してガス流量の遮断を要求する。
【００４２】
一方、現在使用されているガス器具１７０ａ（又は１７０ｂ）が特定されていれば、無線中継器１５０は使用されているガス器具１７０ａ（又は１７０ｂ）が使用注意器具であるかを判断する。そして、使用されているガス器具１７０ａ（又は１７０ｂ）が予め指定されている使用注意器具に該当するか否かは、無線中継器１５０内に記憶されているデータを参照して行われる。
【００４３】
そして、現在使用されているガス器具１７０が使用注意器具に該当していれば、無線中継器１５０がガス遮断装置１１０に対してガス流量の遮断を要求する。しかし、現在使用されているガス器具１７０が使用注意器具に該当していなければ、無線中継器１５０がガス遮断装置１１０に対してガス流量の遮断を要求することはない。
【００４４】
なお、上記手順では、無線中継器１５０が使用注意器具に該当するか否かの判断を行っていたが、ガス遮断装置１１０内に予め登録されているデータを参照して、ガス遮断装置１１０が使用注意器具に該当するか否かの判断を行ってもよい。
【００４５】
以上のように、本実施の形態によれば、宅内に幼児のみしかいない場合は、速やかに無線中継器がガス遮断装置に対してガス流量の遮断の要求を行うため、宅内に幼児のみが残されて親などの大人が外出していないときに、その間に幼児が誤ってガス器具を操作することがあっても、ガス流路を遮断しているので安全である。
【００４６】
しかし、使用されているガス器具が、安全性に重大な影響を及ぼさない可能性が高いとされる使用注意器具に該当しなければ、ガス流路を遮断することはないので、利便性が向上する。
【００４７】
ところで、実施の形態１及び２では、幼児と大人についてのみ説明したが、さらに老人（例えば８５歳以上の人物とする）に関しても適用でき、例えば、無線中継器１５０が宅内に老人しかいない（あるいは、幼児と老人しかいない）と判断した場合、無線中継器１
５０がガス遮断装置１１０に対してガス流量の遮断の要求を行うようにしてもよい。
【００４８】
ただし、老人は幼児と異なりある程度対応能力があることに加えて、もの忘れが激しいことを考慮すれば、すぐにはガス流量を遮断せずに、ガス器具１７０ａを起動してから所定時間（例えば３０分）が経過すればガス流量を遮断するようにしてもよい。もちろん、上記所定時間は老人のみが検出される場合だけでなく幼児のみが検出された場合であっても適用できる。なお、老人や幼児と共に大人が無線中継器１５０によって検出されたとき、ガス流量を遮断しないことは当然である。
【００４９】
また、上記所定時間は、使用されているガス器具に応じてその時間を個別に設定してもよい。例えば、使用されているガス器具がガスコンロであれば、できるだけ早急にガス流路を遮断した方が、安全上好ましいので、所定時間を短めに設定する。一方で、使用されているガス器具がファンヒーターのような器具であれば、安全上それほど早急にガス流路を遮断する必要もないと考えられるので、ガスコンロ使用時と比較して所定時間を長めに設定する。このように同じ使用注意器具として登録されるガス器具ではあるが、安全に寄与する影響度に応じてガス流路を遮断する所定時間を設定することにより、より利便性の高いガス遮断装置を実現する。
【００５０】
また、無線中継器１５０が宅内に幼児や老人のみを検出したときに、すぐにガス流量を遮断するのではなく、遮断を実行する前に通信部１１６を介して宅内の外部に外出している大人（ここでの大人とは年齢によって定義されるものではなく、連絡先が予め登録されている人物）が保持する携帯端末へ遮断する旨のメッセージを送信することも考えられる。
【００５１】
例えば、ガス器具１７０がファンヒーターなどである場合、たとえ宅内に幼児しかいないことを検出したとしても、即座にファンヒーターを停止させることは、宅内の激しい温度低下を引き起こし、かえって環境を悪化させてしまいかねない。そこで、外部で大人が携帯端末を介して遮断する旨のメッセージを送信すれば、そのメッセージを受信した者は遮断すべきか否かの判断ができ、携帯端末から遮断しない旨の要求を無線中継器１５０に送信すれば、やみくもにファンヒーターを停止させることなく、利便性が向上する。もちろん、遮断する旨のメッセージを受信した者が、携帯端末から遮断する旨の要求を無線中継器１５０に送信し、ガス流量の遮断を行うこともできる。
【００５２】
また、実施の形態１及び２では、無線中継器１５０を介して小型無線チップ１６０とガス遮断装置１１０とが無線通信を行っていたが、例えば図６のように無線中継器１５０を介することなく、小型無線チップ１６０からの人物属性情報を直接ガス遮断装置１１０の通信部１１６で読み取ってもよい。その場合、演算処理部１１３が、幼児３０１に装着された小型無線チップ１６０から年齢情報として「８歳」であることを読み取った場合、演算処理部１１３は宅内に幼児３０１しかいないと判断し、遮断駆動部１１５を介して遮断弁１１４によってガス流量を遮断する。
【００５３】
また、実施の形態１及び２では、小型無線チップ１６０から宅内を出入りする人物の認証に必要な人物属性情報のうち、特に年齢に基づいて遮断すべきか否かの制御を行う形態について説明したが、年齢に限ることなく、その他個人を特定できる様々の情報に基づいて遮断すべきか否かの制御を行うようにしてもよく、個人ごとに遮断すべきか否かを予め設定してもよい。上記した実施の形態１及び２に則して具体例を挙げると、１０歳以下の人物や８５歳以上の人物に対しては「遮断すべき人物」であることを登録しておき、１０歳以上で８５歳以下の人物に対しては「遮断すべきではない人物」であることを登録しておけばよい。そして、小型無線チップ１６０からの人物属性情報を直接ガス遮断装置１１０の通信部１１６で読み取り、その人物属性情報から特定される人物が「遮断すべき人物
」に該当すると演算処理部１１３が判断したときには、遮断駆動部１１５を介して遮断弁１１４によってガス流量を遮断し、逆に人物属性情報から特定される人物が「遮断すべきではない人物」に該当すると演算処理部１１３が判断したときには、遮断弁１１４によってガス流量を遮断しない。なお、この形態では図示していないが、ガス遮断装置１１０に「遮断すべき人物」と「遮断すべきではない人物」を設定しているデータを記憶する記憶部を内臓しているものとする。また、無線中継器１５０を介して小型無線チップ１６０とガス遮断装置１１０とが無線通信を行う形態では、無線中継器１５０に「遮断すべき人物」と「遮断すべきではない人物」を設定しているデータを記憶する記憶部を内臓すればよい。
【００５４】
また、実施の形態１及び２では、特にガス供給管を流れるガス流量を遮断することによって安全性を図ったが、ガス器具１７０毎の電源が入らないように設定してもよく、仮に幼児等によって電源スイッチが押されても無効化されるようにすればよい。
【００５５】
本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５６】
本発明のガス器具管理システムによれば、宅内の人物構成に基づいてガス器具を制御するので、安全性向上を図ることができる。
【図面の簡単な説明】
【００５７】
【図１】実施の形態１におけるガス遮断システム図
【図２】実施の形態１におけるガス遮断装置の構成図
【図３】実施の形態１におけるガス遮断システム図
【図４】実施の形態１におけるガス遮断システム図
【図５】実施の形態２におけるガス遮断装置の構成図
【図６】ガス遮断システムの別形態を示す図
【図７】従来のガス遮断装置の構成図
【符号の説明】
【００５８】
１００  ガス遮断システム
１１０  ガス遮断装置
１１１  ガス供給管
１１２  流量検出部
１１３  処理演算部
１１４  遮断弁
１１５  遮断駆動部
１１６  通信部
１５０  無線中継器
１６０  小型無線チップ
１７０  ガス器具
５００  ガス遮断システム
５０１  動作特定部
５０２  記憶メモリ
５０３  ガス器具登録部
【図２】
2007303715.tif 000003
【図５】
2007303715.tif 000004
【図７】
2007303715.tif 000005
【図１】
2007303715.tif 000006
【図３】
2007303715.tif 000007
【図４】
2007303715.tif 000008
【図６】
2007303715.tif 000009